(57)【特許請求の範囲】
【請求項１】
操作者による操作部のタップ操作を検出する第１検出部と、
操作者による前記操作部のフリック操作を検出する第２検出部と、
前記第１検出部がタップ操作を検出した場合と前記第２検出部がフリック操作を検出した場合とで互いに異なる負荷制御を行う負荷制御部とを備え、
前記負荷制御部の負荷は調光制御可能な照明器具であり、
前記第１検出部がタップ操作を検出すると、前記負荷制御部は前記負荷の点灯、消灯の切り替えを行い、
前記第２検出部がフリック操作を検出すると、前記負荷制御部は前記負荷の調光レベルの切り替えを行うことを特徴とする負荷コントローラ。
【請求項２】
操作者による操作部のタップ操作を検出する第１検出部と、
操作者による前記操作部のフリック操作を検出する第２検出部と、
前記第１検出部がタップ操作を検出した場合と前記第２検出部がフリック操作を検出した場合とで互いに異なる負荷制御を行う負荷制御部とを備え、
前記負荷制御部の負荷は調光制御可能な照明器具であり、
前記負荷が消灯している状態で前記第１検出部がタップ操作を検出すると、前記負荷制御部は前記負荷を所定の調光レベルで点灯させ、
前記負荷が点灯している状態で前記第１検出部がタップ操作を検出すると、前記負荷制御部は前記負荷を消灯させ、
前記負荷が点灯している状態で前記第２検出部がフリック操作を検出すると、前記負荷制御部は、前記負荷の調光レベルを所定の第１調光レベルと全点灯レベルとに交互に切り替えることを特徴とする負荷コントローラ。
【請求項３】
前記第２検出部は前記操作部をフリックする操作方向も検出しており、
前記負荷制御部は、前記第２検出部によって検出されたフリック操作の操作方向によって、異なる負荷制御を行うことを特徴とする請求項１又は２に記載の負荷コントローラ。
【請求項４】
操作者による操作部のタップ操作を検出する第１検出部と、
操作者による前記操作部のフリック操作を検出する第２検出部と、
前記第１検出部がタップ操作を検出した場合と前記第２検出部がフリック操作を検出した場合とで互いに異なる負荷制御を行う負荷制御部とを備え、
前記負荷制御部の負荷は調光制御可能な照明器具であり、
前記第２検出部は前記操作部をフリックする操作方向も検出しており、
前記第２検出部が一方向へのフリック操作を検出すると、前記負荷制御部は前記負荷を全点灯させ、
前記第２検出部が逆方向へのフリック操作を検出すると、前記負荷制御部は前記負荷を消灯させ、
前記第１検出部がタップ操作を検出すると、前記負荷制御部は前記負荷を所定の調光レベルで点灯させることを特徴とする負荷コントローラ。
【請求項５】
前記操作部が複数設けられており、
前記第２検出部が検出するフリック操作の方向と直交する方向に、複数の前記操作部が並べられていることを特徴とする請求項１乃至４の何れか１項に記載の負荷コントローラ。
【請求項６】
複数の負荷コントローラが一方向に並んだ状態で枠部材に取り付けられる場合に、前記操作部の配列方向と直交する方向において操作者が前記操作部をフリックする操作を前記第２検出部が検出することを特徴とする請求項１乃至４の何れか１項に記載の負荷コントローラ。
【発明の詳細な説明】
【技術分野】
【０００１】
本発明は、負荷コントローラに関するものである。
【背景技術】
【０００２】
従来、調光制御が可能な照明負荷の点灯／消灯を切り替える切替スイッチと、照明負荷の調光レベルを制御する調光器とが一連の取付枠に並設されたものがあった（例えば特許文献１参照）。このものでは、切替スイッチを用いて点灯／消灯の切り替え操作を行い、調光器を用いて調光レベルの切り替え操作を行っていた。
【先行技術文献】
【特許文献】
【０００３】
【特許文献１】特開２００９−３０１８１１号公報
【発明の概要】
【発明が解決しようとする課題】
【０００４】
上記の特許文献１に記載された調光器及び切替スイッチでは、照明負荷の点灯／消灯を切り替えるために操作される操作部と、調光レベルを切り替えるために操作される操作部とが別々の場所に設けられていた。すなわち、別々の負荷制御を行うための操作部が、別々の場所に設けられているため、操作部の数が多くなり、負荷を制御するための装置が全体として大型化するという問題があった。
【０００５】
本発明は上記課題に鑑みて為されたものであり、その目的とするところは、操作部の数を減らして小型化を図った負荷コントローラを提供することにある。
【課題を解決するための手段】
【０００６】
本発明の一形態の負荷コントローラは、第１検出部と第２検出部と負荷制御部とを備えることを特徴とする。前記第１検出部は、操作者による操作部のタップ操作を検出する。前記第２検出部は、操作者による前記操作部のフリック操作を検出する。前記負荷制御部は、前記第１検出部がタップ操作を検出した場合と前記第２検出部がフリック操作を検出した場合とで互いに異なる負荷制御を行うものである。前記負荷制御部の負荷は調光制御可能な照明器具であり、前記第１検出部がタップ操作を検出すると、前記負荷制御部は前記負荷の点灯、消灯の切り替えを行い、前記第２検出部がフリック操作を検出すると、前記負荷制御部は前記負荷の調光レベルの切り替えを行う。尚、タップ操作とは、操作部を指で軽くたたく操作を意味し、フリック操作とは、操作部の表面を指ではらう操作を意味する。
【０００８】
本発明の一形態の負荷コントローラは、第１検出部と第２検出部と負荷制御部とを備えることを特徴とする。前記第１検出部は、操作者による操作部のタップ操作を検出する。前記第２検出部は、操作者による前記操作部のフリック操作を検出する。前記負荷制御部は、前記第１検出部がタップ操作を検出した場合と前記第２検出部がフリック操作を検出した場合とで互いに異なる負荷制御を行うものである。前記負荷制御部の負荷は調光制御可能な照明器具であり、前記負荷が消灯している状態で前記第１検出部がタップ操作を検出すると、前記負荷制御部は前記負荷を所定の調光レベルで点灯させ、前記負荷が点灯している状態で前記第１検出部がタップ操作を検出すると、前記負荷制御部は前記負荷を消灯させ、前記負荷が点灯している状態で前記第２検出部がフリック操作を検出すると、前記負荷制御部は、前記負荷の調光レベルを所定の第１調光レベルと全点灯レベルとに交互に切り替える。
【０００９】
この負荷コントローラにおいて、前記第２検出部は前記操作部をフリックする操作方向も検出しており、前記負荷制御部は、前記第２検出部によって検出されたフリック操作の操作方向によって、異なる負荷制御を行うことも好ましい。
【００１０】
本発明の一形態の負荷コントローラは、第１検出部と第２検出部と負荷制御部とを備えることを特徴とする。前記第１検出部は、操作者による操作部のタップ操作を検出する。前記第２検出部は、操作者による前記操作部のフリック操作を検出する。前記負荷制御部は、前記第１検出部がタップ操作を検出した場合と前記第２検出部がフリック操作を検出した場合とで互いに異なる負荷制御を行うものである。前記負荷制御部の負荷は調光制御可能な照明器具であり、前記第２検出部は前記操作部をフリックする操作方向も検出している。前記第２検出部が一方向へのフリック操作を検出すると、前記負荷制御部は前記負荷を全点灯させ、前記第２検出部が逆方向へのフリック操作を検出すると、前記負荷制御部は前記負荷を消灯させ、前記第１検出部がタップ操作を検出すると、前記負荷制御部は前記負荷を所定の調光レベルで点灯させる。
【００１１】
この負荷コントローラにおいて、前記操作部が複数設けられ、前記第２検出部が検出するフリック操作の方向と直交する方向に、複数の前記操作部が並べられることも好ましい。
【００１２】
この負荷コントローラにおいて、複数の負荷コントローラが一方向に並んだ状態で枠部材に取り付けられる場合に、前記操作部の配列方向と直交する方向において操作者が前記操作部をフリックする操作を前記第２検出部が検出することも好ましい。
【発明の効果】
【００１３】
本発明によれば、操作部をタップ操作するか或いはフリック操作するかで、負荷制御部が互いに異なる負荷制御を行っているので、異なる負荷制御を行わせるための操作部が別々に設けられた場合に比べ、操作部の数を削減でき、負荷コントローラを小型化できる。
【図面の簡単な説明】
【００１４】
【図１】実施形態１の負荷コントローラのブロック回路図である。
【図２】同上がプレート部材に取り付けられた状態を示し、（ａ）は正面図、（ｂ）は断面図である。
【図３】同上の分解斜視図である。
【図４】（ａ）は同上の負荷コントローラが備えるタッチ基板の正面図、（ｂ）はタッチ基板及びメイン基板の取付状態を説明する側断面図である。
【図５】同上の動作シーケンス図である。
【図６】実施形態２の負荷コントローラがプレート部材に取り付けられた状態を示し、（ａ）は正面図、（ｂ）は断面図である。
【図７】同上の分解斜視図である。
【図８】（ａ）は同上の負荷コントローラが備えるタッチ基板の正面図、（ｂ）はタッチ基板及びメイン基板の取付状態を説明する側断面図である。
【図９】同上の動作シーケンス図である。
【発明を実施するための形態】
【００１５】
以下に、本発明に係る負荷コントローラを、調光制御が可能な照明器具の制御に適用した実施形態について図面を参照して説明する。
【００１６】
（実施形態１）
実施形態１の負荷コントローラ１について図１〜図５を参照して説明する。尚、以下の説明では特に断りがないかぎり、図２（ａ）に示す向きにおいて上下左右の方向を規定し、図２（ｂ）における左側を前側、図２（ｂ）における右側を後側として説明を行う。
【００１７】
図１は実施形態１の負荷コントローラ１のブロック図である。負荷コントローラ１は、調光制御が可能なＬＥＤ照明器具１００の動作を制御するために用いられる。負荷コントローラ１は、信号処理部１１と、タッチセンサ１２と、出力回路１３と、複数個（例えば３個）の発光ダイオード１４と、圧電ブザー１５と、ドライブ回路１６，１７と、電源回路１８とを備えている。
【００１８】
タッチセンサ１２は静電容量型のセンサで構成されている。本実施形態では図４（ａ）（ｂ）に示すように複数個（例えば１４個）のタッチセンサ１２がタッチ基板２１の表面に取り付けられている。タッチ基板２１は、縦横の長さが略同じ矩形板状の合成樹脂成形品からなり、図２に示すように操作部２０の裏側に操作部２０の表面と平行するように配置される。タッチ基板２１の表面の上側部及び下側部には、それぞれ、７個のタッチセンサ１２が左右方向に並べて取り付けられている。操作部２０は合成樹脂で形成されているので、タップ操作或いはフリック操作を行うために操作部２０に指で触れると、指が触れた部位の裏側にあるタッチセンサ１２の静電容量値が変化する。ここにおいて、タップ操作とは、操作部２０を指で軽くたたく操作を意味し、フリック操作とは、操作部２０の表面を指ではらう操作を意味する。尚、タッチセンサ１２の信号は、後述のメイン基板２２に実装された回路に、図示しないハーネスを介して入力されている。
【００１９】
信号処理部１１は負荷コントローラ１の全体的な制御を行っており、タッチセンサ１２からの入力をもとに操作部２０のタップ操作或いはフリック操作を検出すると、検出した操作内容（タップ操作又はフリック操作）に応じた負荷制御を行う。
【００２０】
出力回路１３は、信号処理部１１からの制御命令に応じて出力信号Ｓ１の電圧レベルを変化させる。出力回路１３の出力信号Ｓ１はＬＥＤ照明器具１００に入力され、ＬＥＤ照明器具１００は、出力信号Ｓ１の電圧レベルに応じて光源である発光ダイオード（図示せず）の調光レベルを制御する。
【００２１】
複数個（例えば３個）の発光ダイオード１４は、例えばＲＧＢフルカラー発光の発光ダイオードであって、図４（ｂ）に示すように、タッチ基板２１の裏側に配置されるメイン基板２２（例えばプリント配線板からなる）に実装されている。３個の発光ダイオード１４は、左右方向に一定の間隔で配置されており、上下２列に配置されたタッチセンサ１２の略中間に位置している。
【００２２】
ドライブ回路１６は、信号処理部１１からの入力信号に応じて発光ダイオード１４の点灯／消灯を制御するとともに、フルカラーＬＥＤからなる発光ダイオード１４の発光色を制御する。
【００２３】
またドライブ回路１７は、信号処理部１１からの入力信号に応じて圧電ブザー１５を鳴動させる。
【００２４】
電源回路１８はＡＣ／ＤＣ変換部１８ａと定電圧部１８ｂとで構成される。ＡＣ／ＤＣ変換部１８ａは、商用交流電源から供給される交流電力を直流に変換する。定電圧部１８ｂは例えばＬＤＯ（Low DropOut）レギュレータからなり、ＡＣ／ＤＣ変換部１８ａの出力電圧を所定電圧に降圧して信号処理部１１に供給する。
【００２５】
ここで、信号処理部１１は、タップ操作が行われた場合とフリック操作が行われた場合とで異なる負荷制御を行うのであるが、タップ操作とフリック操作の判別は以下のような方法で行っている。信号処理部１１には、複数個のタッチセンサ１２がそれぞれ接続されており、各々のタッチセンサ１２の静電容量と所定の基準値との高低を比較することによって、各々のタッチセンサ１２に対応する操作部２０の部位に指（人体）が触れているか否かを判断する。また信号処理部１１には各タッチセンサ１２の位置情報が予め登録されている。そして、操作者が指で操作部２０に触れた際、信号処理部１１は、指が触れたことを最初に検知したタッチセンサ１２の位置情報と、指が触れたことを最後に検知したタッチセンサ１２の位置情報をもとに、操作部２０に触れた指の移動量を求めている。この移動量が所定の閾値よりも小さければ、操作者による操作部２０の操作はタップ操作であると信号処理部１１は判断し、上記の移動量が所定の閾値以上であれば、操作者による操作部２０の操作はフリック操作であると信号処理部１１は判断する。ここにおいて、信号処理部１１の演算機能とタッチセンサ１２とで、操作者による操作部２０のタップ操作を検出する第１検出部と、操作者による操作部２０のフリック操作を検出する第２検出部とがそれぞれ実現されている。尚、上記の閾値は、指が動いていないと見なせる程度の値であり、予め設定されている。
【００２６】
図２（ａ）は負荷コントローラ１の正面図、図２（ｂ）は負荷コントローラ１の断面図、図３は負荷コントローラ１の分解斜視図をそれぞれ示している。本実施形態では２つの負荷コントローラ１がプレート部材３０に取り付けられている。プレート部材３０は合成樹脂成形品からなり、縦長の矩形板状に形成された主部３０ａと、主部３０ａ後面の周部のやや内側から後方に突出する側部３０ｂとを一体に備えている。そして、主部３０ａの裏面と側部３０ｂとで囲まれる空間には、上述のタッチ基板２１及びメイン基板２２と、仕切り枠２３と、ピン２４とが収納される。尚、メイン基板２２には、図１に示す回路のうちタッチセンサ１２を除いた回路が実装されている。
【００２７】
プレート部材３０の前側には四角枠状のプレート枠３１が取り付けられる。
【００２８】
タッチ基板２１には、メイン基板２２に実装された発光ダイオード１４に対応する位置に３個の貫通孔２１ａが形成されている。
【００２９】
仕切り枠２３は合成樹脂成形品からなり、タッチ基板２１とメイン基板２２の間に配置される。仕切り枠２３は、メイン基板２２に実装された３個の発光ダイオード１４に対応する位置に配置され、各々の発光ダイオード１４に対応して角穴状の貫通孔２３ａが開口している。図２（ｂ）に示すようにタッチ基板２１とメイン基板２２の間に仕切り枠２３が介装された状態では、各々の貫通孔２３ａ内に発光ダイオード１４が配置され、発光ダイオード１４の光漏れが低減される。
【００３０】
ピン２４は透光性の合成樹脂により円柱状に形成されている。プレート部材３０には、メイン基板２２に実装された発光ダイオード１４に対向する位置に丸孔状の貫通孔３０ｃが設けられており、ピン２４は貫通孔３０ｃに挿入されて、プレート部材３０の前面から前方に突出する。タッチ基板２１には発光ダイオード１４に対向する位置に貫通孔２１ａが形成されており、発光ダイオード１４の発光は貫通孔２１ａを通ってピン２４に入射し、ピン２４を通って前方に照射されている。
【００３１】
操作部２０は合成樹脂により矩形板状に形成されており、プレート部材３０の前面においてプレート枠３１で囲まれる領域に、上下に並べて取り付けられている。操作部２０には、ピン２４がそれぞれ挿入される３個の貫通孔２０ａが横並びに形成されている。
【００３２】
タッチ基板２１及び仕切り枠２３は適宜の手段でメイン基板２２に取り付けられており、プレート部材３０の貫通孔３０ｃにピン２４を挿入した状態で、タッチ基板２１及び仕切り枠２３が取り付けられたメイン基板２２がプレート部材３０にねじ固定されている。プレート部材３０の前面側には２個の操作部２０が上下に並べて配置され、２個の操作部２０の周りを囲むようにしてプレート枠３１をプレート部材３０に取り付けることによって、操作部２０が保持される。尚、操作部２０及びプレート枠３１をプレート部材３０に取り付ける方法は、凹凸嵌合やネジ止めや接着など適宜の方法が採用でき、特定の方法に限定されるものではない。
【００３３】
組立完了状態では、図２（ｂ）及び図４（ｂ）に示すように、操作部２０の貫通孔２０ａにピン２４が挿入されており、操作部２０の前面とピン２４の前面とが略面一となっている。また、操作部２０の裏側にプレート部材３０を挟んでタッチ基板２１が配置されており、操作部２０の前面に指（人体）が接触することによって、タッチセンサ１２の静電容量が変化する。また、メイン基板２２に実装された発光ダイオード１４の発光は、タッチ基板２１の貫通孔２１ａを通してピン２４に入射する。ピン２４は操作部２０の貫通孔２０ａ内に挿入されて、ピン２４の前面は外部に露出しており、発光ダイオード１４の発光はピン２４を通過して外部に照射される。各々の発光ダイオード１４は、仕切り枠２３に設けられた別々の貫通孔２３ａ内に配置されており、各発光ダイオード１４の発光が隣接する別のピン２４に入射しないよう、仕切り枠２３によって遮光されている。
【００３４】
本実施形態では２組の負荷コントローラ１がプレート部材３０に取り付けられており、各々の負荷コントローラ１は、操作部２０とタッチ基板２１とメイン基板２２と仕切り枠２３とピン２４とで構成されている。
【００３５】
次に、本実施形態の動作について説明する。信号処理部１１が、上述のようにしてタップ操作或いはフリック操作を検出すると、タップ操作又はフリック操作に応じた負荷制御を行っており、その動作シーケンスを図５に示す。
【００３６】
図５の動作シーケンスでは、タップ操作が検出されると、信号処理部１１がＬＥＤ照明器具１００の点灯、消灯の切り替えを行い、フリック操作が検出されると、信号処理部１１はＬＥＤ照明器具１００の調光レベルを切り替えている。
【００３７】
ＬＥＤ照明器具１００が消灯している状態（図５のＳＴ１）では、信号処理部１１は、ドライブ回路１６を制御して、中央の発光ダイオード１４のみを緑色点灯させて、位置表示を行う。
【００３８】
ＬＥＤ照明器具１００が消灯している状態で操作者がタップ操作を行うと（図５のＰ１）、信号処理部１１は、タッチセンサ１２の入力をもとにタップ操作を検出する。信号処理部１１は、タップ操作Ｐ１を検出すると出力回路１３からＬＥＤ照明器具１００に調光信号を出力させ、ＬＥＤ照明器具１００を所定の調光レベル（例えば全点灯状態を１００％とした場合に１５％の調光レベル）で点灯させる。また信号処理部１１は、ドライブ回路１７を制御して圧電ブザー１５から報知音（例えば「ピ」という音）を鳴動させるとともに、ドライブ回路１６を制御して３個の発光ダイオード１４を電球色で点灯させて、調光点灯状態に切り替わったことを報知する。尚、信号処理部１１は、３個の発光ダイオード１４のうち、中央にある発光ダイオード１４を１００％の明るさで点灯させるとともに、左右両側の発光ダイオード１４を５０％の明るさで点灯させている。このような点灯状態とすることで、左方向又は右方向へのフリック操作が可能であることを表示し、操作者に対してフリック操作を促している。
【００３９】
ＬＥＤ照明器具１００が調光点灯している状態（図５のＳＴ２）で操作者がフリック操作を行うと（図５のＰ２）、信号処理部１１は、タッチセンサ１２の入力をもとにフリック操作を検出する。信号処理部１１は、フリック操作Ｐ２を検出すると出力回路１３からＬＥＤ照明器具１００に全点灯信号を出力させ、ＬＥＤ照明器具１００を全点灯状態で点灯させる。また信号処理部１１は、ドライブ回路１７を制御して圧電ブザー１５から報知音（例えば「ピ、ピ」という音）を鳴動させるとともに、ドライブ回路１６を制御して３個の発光ダイオード１４を赤色で点灯させて、全点灯状態に切り替わったことを報知する。尚、信号処理部１１は、３個の発光ダイオード１４のうち、中央にある発光ダイオード１４を１００％の明るさで点灯させるとともに、左右両側の発光ダイオード１４を５０％の明るさで点灯させている。このような点灯状態とすることで、左方向又は右方向へのフリック操作が可能であることを表示し、操作者に対してフリック操作を促している。
【００４０】
ＬＥＤ照明器具１００が全点灯している状態（図５のＳＴ３）で操作者がフリック操作を行うと（図５のＰ３）、信号処理部１１は、タッチセンサ１２の入力をもとにフリック操作を検出する。信号処理部１１は、フリック操作Ｐ３を検出すると出力回路１３からＬＥＤ照明器具１００に調光信号を出力させ、ＬＥＤ照明器具１００を例えば１５％の調光レベルで調光点灯させる。また信号処理部１１は、ドライブ回路１７を制御して圧電ブザー１５から報知音（例えば「ピ」という音）を鳴動させるとともに、ドライブ回路１６を制御して３個の発光ダイオード１４を電球色で点灯させ、調光点灯状態に切り替わったことを報知する。
【００４１】
また、ＬＥＤ照明器具１００が点灯（調光点灯又は全点灯）している状態（図５のＳＴ２，ＳＴ３）で操作者がタップ操作を行うと（図５のＰ４，Ｐ５）、信号処理部１１は、タッチセンサ１２の入力をもとにタップ操作を検出する。信号処理部１１は、ＬＥＤ照明器具１００の点灯中にタップ操作Ｐ４，Ｐ５を検出すると出力回路１３からＬＥＤ照明器具１００に消灯信号を出力させ、ＬＥＤ照明器具１００を消灯させる。また信号処理部１１は、ドライブ回路１７を制御して圧電ブザー１５から報知音（例えば「ピー」という音）を鳴動させるとともに、ドライブ回路１６を制御して中央の発光ダイオード１４のみ緑色で点灯させ、消灯状態に切り替わったことを報知する。尚、左右の発光ダイオード１４はドライブ回路１６によって消灯されている。
【００４２】
以上のように、第１検出部（信号処理部１１及びタッチセンサ１２からなる）がタップ操作を検出した場合と、第２検出部（信号処理部１１及びタッチセンサ１２からなる）がフリック操作を検出した場合とで、負荷制御部（信号処理部１１）が異なる負荷制御を行っている。
【００４３】
これにより、同じ操作部２０をタップ操作するか、フリック操作するかによって、異なる負荷制御が実現できるので、異なる負荷制御を行わせるための操作部が別々に設けられた場合に比べて、操作部２０の数を削減できる。よって、負荷コントローラ１の小型化を実現でき、意匠性を向上させることもできる。本実施形態では同じ負荷を異なる制御状態に制御することで、異なる負荷制御を行っているが、タップ操作或いはフリック操作によって別々の負荷の負荷制御を行ってもよい。
【００４４】
また本実施形態では、第１検出部（タッチセンサ１２及び信号処理部１１からなる）がタップ操作を検出すると、負荷制御部（信号処理部１１）は負荷の点灯、消灯の切り替えを行う。そして、第２検出部（タッチセンサ１２及び信号処理部１１からなる）がフリック操作を検出すると、負荷制御部は負荷の調光レベルの切り替えを行っている。
【００４５】
これにより、負荷の点灯、消灯を切り替える場合は操作部２０をタップ操作し、負荷の調光レベルを切り替えるためには操作部２０をフリック操作すればよく、タップ操作とフリック操作とで異なる負荷制御を行うことができる。
【００４６】
さらに上記の動作シーケンスでは、負荷（ＬＥＤ照明器具１００）が消灯している状態で第１検出部（タッチセンサ１２及び信号処理部１１からなる）がタップ操作を検出すると、負荷制御部（信号処理部１１）は負荷を所定の調光レベルで点灯させている。また、負荷が点灯している状態で第１検出部がタップ操作を検出すると、負荷制御部は負荷を消灯させている。また負荷が点灯している状態で第２検出部（タッチセンサ１２及び信号処理部１１からなる）がフリック操作を検出すると、負荷制御部は、負荷の調光レベルを所定の第１調光レベルと全点灯レベルとに交互に切り替えている。
【００４７】
これにより、負荷の点灯、消灯を切り替える場合は操作部２０をタップ操作し、負荷の調光レベルを切り替えるためには操作部２０をフリック操作すればよく、タップ操作とフリック操作とで異なる負荷制御を行うことができる。
【００４８】
また、本実施形態では、複数（例えば２つ）の負荷コントローラ１が一方向に並んだ状態で枠部材（プレート部材３０及びプレート枠３１からなる）に取り付けられている。そして、操作部２０の配列方向と直交する方向において、操作者が操作部２０をフリックする操作を第２検出部（タッチセンサ１２及び信号処理部１１からなる）が検出している。
【００４９】
ところで、フリック操作の検出方向が操作部２０の配列方向と同じ場合、何れかの操作部２０のフリック操作を行った際に、隣接する別の操作部２０に指が当たって誤操作する可能性がある。一方、本実施形態では、フリック操作の検出方向が操作部２０の配列方向と直交するように複数の負荷コントローラ１が枠部材に取り付けられており、上記のような誤操作が起こりにくくなる。
【００５０】
尚、本実施形態では、信号処理部１１及びタッチセンサ１２からなる第２検出部が、左右方向におけるフリック操作を検出しているが、フリック操作を検出する方向は左右方向に限定されない。第２検出部は、上下方向、上下方向及び左右方向の両方、或いは斜め方向におけるフリック操作を検出してもよい。
【００５１】
また、本実施形態では１つの負荷コントローラ１に操作部２０が１つしか設けられていないが、１つの負荷コントローラ１に複数の操作部２０が設けられていてもよい。この場合でも、複数の操作部２０の配列方向と、第２検出部（タッチセンサ１２及び信号処理部１１からなる）が検出するフリック操作の方向とが互いに直交することが好ましい。これにより、何れかの操作部２０がフリック操作された場合に隣接する別の操作部２０に指が触れにくくなり、誤操作を低減することができる。
【００５２】
（実施形態２）
実施形態２の負荷コントローラ１について図６〜図９を参照して説明する。尚、以下の説明では特に断りがないかぎり、図６（ａ）に示す向きにおいて上下左右の方向を規定し、図６（ｂ）における左側を前側、図６（ｂ）における右側を後側として説明を行う。
【００５３】
本実施形態の負荷コントローラ１の回路構成は、実施形態１で説明した図１の回路と同様であるのであるので、その説明は省略する。
【００５４】
図６（ａ）は負荷コントローラ１の正面図、図６（ｂ）は負荷コントローラ１の断面図、図７は負荷コントローラ１の分解斜視図をそれぞれ示している。本実施形態では２つの負荷コントローラ１がプレート部材３０に取り付けられている。プレート部材３０は合成樹脂成形品からなり、縦長の矩形板状に形成された主部３０ａと、主部３０ａ後面の周部のやや内側から後方に突出する側部３０ｂとを一体に備えている。主部３０ａの中央には主部３０ａを前後に貫通する矩形の貫通孔３０ｅが設けられ、貫通孔３０ｅの内側面の後部から内側に向かって張出部３０ｆが突出している。
【００５５】
プレート部材３０の裏側には２枚のメイン基板２２がネジ止めされている。２枚のメイン基板２２は上下に並べて取り付けられており、貫通孔３０ｅに臨んで配置されている。
【００５６】
プレート部材３０の貫通孔３０ｅ内には支持枠３２が配置される。支持枠３２は合成樹脂により縦長の四角枠状に形成されており、上下に２つの取付孔３２ａが設けられ、各々の取付孔３２ａに操作部２０とタッチ基板２１が配置される。
【００５７】
操作部２０は透明或いは半透明の合成樹脂成形品からなり、矩形板状の主部２０ｂと、主部２０ｂの周縁部から後方に突出する側部２０ｃとを一体に備えている。そして、主部２０ｂと側部２０ｃとで囲まれる空間にタッチ基板２１が配置されている。
【００５８】
タッチ基板２１は、図８（ａ）に示すように合成樹脂により矩形板状に形成され、その表面には複数個（例えば１４個）のタッチセンサ１２が取り付けられている。タッチ基板２１は、縦横の長さが略同じ矩形板状の合成樹脂成形品からなり、図８（ｂ）に示すように主部２０ｂの裏側に平行するように配置される。タッチ基板２１の表面の上側部及び下側部には、それぞれ、７個のタッチセンサ１２が左右方向に並べて取り付けられている。操作部２０は合成樹脂で形成されているので、タップ操作或いはフリック操作を行うために操作部２０に指で触れると、指が触れた部位の裏側にあるタッチセンサ１２の静電容量値が変化する。
【００５９】
メイン基板２２には、タッチセンサ１２を除く図１の回路が実装されており、本実施形態では図８（ｂ）に示すように発光ダイオード１４として赤色発光の発光ダイオード１４ａと、緑色発光の３個の発光ダイオード１４ｂが実装されている。赤色発光の発光ダイオード１４ａは、メイン基板２２において主部２０ｂの中心位置に対応する位置に実装されている。緑色発光の３個の発光ダイオード１４ｂは、発光ダイオード１４ａの実装位置を中心とする円周上に一定間隔で実装されている。そして、タッチ基板２１には、赤色発光の発光ダイオード１４ａに対向する位置に丸孔状の貫通孔２１ｂが形成され、緑色発光の発光ダイオード１４ｂに対向する位置には弧状に湾曲した６個の貫通孔２１ｃが、貫通孔２１ｂを中心とする円周上に形成されている。尚、メイン基板２２には発光ダイオード１４ａの周りを囲むようにして筒状の仕切り壁２５が取り付けられている。この仕切り壁２５によって発光ダイオード１４ａの光が貫通孔２１ｃに入射しにくくなり、発光ダイオード１４ｂの光が貫通孔２１ｂに入射しにくくなっている。
【００６０】
タッチ基板２１は操作部２０に取り付けられ、プレート部材３０の貫通孔３０ｅに配置される支持枠３２に対して、タッチ基板２１を保持した操作部２０が上下に２個並べて取り付けられている。またメイン基板２２はプレート部材３０の裏側に取付ねじ（図示せず）を介してねじ固定されている。尚、操作部２０とタッチ基板２１と支持枠３２とをプレート部材３０に取り付ける方法は、凹凸嵌合やネジ止めや接着など適宜の方法が採用でき、特定の方法に限定されるものではない。
【００６１】
組立完了状態では操作部２０の裏側にタッチ基板２１が配置されており、操作部２０の前面に指（人体）が接触することによって、タッチセンサ１２の静電容量が変化する。また、メイン基板２２に実装された発光ダイオード１４ａ，１４ｂの発光は、タッチ基板２１の貫通孔２１ｂ，２１ｃを通して前方に照射され、透明或いは半透明の操作部２０を透過して外部に照射される。
【００６２】
本実施形態では２組の負荷コントローラ１がプレート部材３０に取り付けられており、各々の負荷コントローラ１は、操作部２０とタッチ基板２１とメイン基板２２と仕切り壁２５で構成されている。
【００６３】
次に、本実施形態の動作について説明する。信号処理部１１には、複数個のタッチセンサ１２がそれぞれ接続されており、各々のタッチセンサ１２の静電容量と所定の基準値との高低を比較することによって、各々のタッチセンサ１２で指（人体）を検出しているか否かを判断する。また信号処理部１１には各タッチセンサ１２の位置情報が予め登録されている。そして、操作者が指で操作部２０に触れた際、信号処理部１１は、指が触れたことを最初に検知したタッチセンサ１２の位置情報と、指が触れたことを最後に検知したタッチセンサ１２の位置情報をもとに、操作部２０に触れた指の移動量を求めている。この移動量が所定の閾値よりも小さければ、操作者による操作部２０の操作はタップ操作であると信号処理部１１は判断し、上記の移動量が所定の閾値以上であれば、操作者による操作部２０の操作はフリック操作であると信号処理部１１は判断する。また、信号処理部１１は、指が触れたことを最初に検知したタッチセンサ１２の位置情報と、指が触れたことを最後に検知したタッチセンサ１２の位置情報をもとに、フリック操作の方向も検出する。ここにおいて、信号処理部１１の演算機能とタッチセンサ１２とで、操作者による操作部２０のタップ操作を検出する第１検出部と、操作者による操作部２０のフリック操作を検出する第２検出部とがそれぞれ実現されている。尚、上記の閾値は、指が動いていないと見なせる程度の値であり、予め設定されている。
【００６４】
信号処理部１１は、タッチセンサ１２からの入力をもとにタップ操作或いはフリック操作（フリック操作の場合はその操作方向も）を検出すると、タップ操作又はフリック操作に応じた負荷制御を行っており、その動作シーケンスを図９に示す。
【００６５】
図９の動作シーケンスでは、信号処理部１１は、一方向（例えば右方向）へのフリック操作を検出するとＬＥＤ照明器具１００を全点灯させ、逆方向（例えば左方向）へのフリック操作が検出するとＬＥＤ照明器具１００を消灯する。また信号処理部１１は、タップ操作を検出すると、ＬＥＤ照明器具１００を所定の調光レベルで点灯させている。
【００６６】
ＬＥＤ照明器具１００が消灯している状態（図９のＳＴ１）では、信号処理部１１は、ドライブ回路１６を制御して、緑色発光の発光ダイオード１４ｂのみを緑色点灯させて、位置表示を行う。
【００６７】
ＬＥＤ照明器具１００が消灯又は調光点灯している状態（図９のＳＴ１，ＳＴ２）で操作者が一方向（例えば右方向）にフリック操作を行うと（図９のＰ１１）、信号処理部１１は、タッチセンサ１２の入力をもとに右方向へのフリック操作を検出する。信号処理部１１は、右方向へのフリック操作Ｐ１１を検出すると出力回路１３からＬＥＤ照明器具１００に全点灯信号を出力させ、ＬＥＤ照明器具１００を全点灯状態（調光レベルが１００％の状態）で点灯させる（図９のＳＴ３）。また信号処理部１１は、ドライブ回路１７を制御して圧電ブザー１５から報知音（例えば「ピ、ピ」という音）を鳴動させるとともに、ドライブ回路１６を制御して３赤色発光の発光ダイオード１４ａを点灯させて、全点灯状態に切り替わったことを報知する。
【００６８】
一方、ＬＥＤ照明器具１００が消灯又は全点灯している状態（図９のＳＴ１，ＳＴ３）で操作者がタップ操作を行うと（図９のＰ１２）、信号処理部１１は、タッチセンサ１２の入力をもとにタップ操作を検出する。信号処理部１１は、タップ操作Ｐ１２を検出すると出力回路１３からＬＥＤ照明器具１００に調光信号を出力させ、ＬＥＤ照明器具１００を所定の調光レベル（例えば全点灯状態を１００％とした場合に１５％の調光レベル）で点灯させる。また信号処理部１１は、ドライブ回路１７を制御して圧電ブザー１５から報知音（例えば「ピ」という音）を鳴動させるとともに、ドライブ回路１６を制御して赤色発光の発光ダイオード１４ｂを電球色で点灯させて、調光点灯状態に切り替わったことを報知する。
【００６９】
ＬＥＤ照明器具１００が全点灯又は調光点灯している状態（図９のＳＴ２，ＳＴ３）で操作者が逆方向（例えば左方向）へのフリック操作を行うと（図９のＰ１３）、信号処理部１１は、タッチセンサ１２の入力をもとに左方向へのフリック操作を検出する。信号処理部１１は、左方向へのフリック操作Ｐ１３を検出すると出力回路１３からＬＥＤ照明器具１００に消灯信号を出力させ、ＬＥＤ照明器具１００を消灯させる。また信号処理部１１は、ドライブ回路１７を制御して圧電ブザー１５から報知音（例えば「ピー」という音）を鳴動させるとともに、ドライブ回路１６を制御して緑色発光の発光ダイオード１４ｂを点灯させる。
【００７０】
以上のように、本実施形態のスイッチにおいても、第１検出部（タッチセンサ１２及び信号処理部１１からなる）がタップ操作を検出した場合と、第２検出部（タッチセンサ１２及び信号処理部１１からなる）がフリック操作を検出した場合とで、負荷制御部（信号処理部１１）が異なる負荷制御を行っている。
【００７１】
これにより、同じ操作部２０をタップ操作するか、フリック操作するかによって、異なる負荷制御が実現できるので、異なる負荷制御を行わせるための操作部が別々に設けられた場合に比べて、操作部２０の数を削減できる。よって、負荷コントローラ１の小型化を実現でき、意匠性を向上させることができる。尚、本実施形態では同じ負荷を異なる制御状態に制御することで、異なる負荷制御を行っているが、タップ操作或いはフリック操作によって別々の負荷の負荷制御を行ってもよい。
【００７２】
また本実施形態では、第２検出部（タッチセンサ１２及び信号処理部１１からなる）が、操作部２０をフリックする操作方向も検出している。そして、負荷制御部（信号処理部１１）は、第２検出部によって検出されたフリック操作の操作方向によって、異なる負荷制御を行っている。
【００７３】
これにより、同じ操作部２０をタップ操作するか、或いはフリック操作するか、またフリック操作の場合はどの方向にフリック操作するかによって、異なる負荷制御が実現できる。よって、異なる負荷制御を行わせるための操作部が別々に設けられた場合に比べて、操作部２０の数を削減でき、負荷コントローラ１の小型化を実現できる。尚、本実施形態では同じ負荷を異なる制御状態に制御することで、異なる負荷制御を行っているが、タップ操作か、一方向へのフリック操作か、逆方向へのフリック操作かによって、別々の負荷の負荷制御を行ってもよい。
【００７４】
また本実施形態では負荷制御部（信号処理部１１）の負荷が調光制御可能な照明器具（ＬＥＤ照明器具１００）であり、第２検出部（タッチセンサ１２及び信号処理部１１からなる）が操作部２０をフリックする操作方向も検出している。そして、第２検出部が一方向へのフリック操作を検出すると、負荷制御部は負荷を全点灯させ、第２検出部が逆方向へのフリック操作を検出すると、負荷制御部は負荷を消灯させている。また、第１検出部（タッチセンサ１２及び信号処理部１１からなる）がタップ操作を検出すると、負荷制御部は負荷を所定の調光レベルで点灯させている。
【００７５】
これにより、照明器具を全点灯させる場合は一方向へのフリック操作、消灯させる場合は逆方向へのフリック操作、調光点灯させる場合はタップ操作を行えばよく、操作方法と負荷の状態とが１対１で対応しているので、操作方法が直感的に理解し易い。尚、本実施形態では右方向へのフリック操作で照明器具を全点灯させ、左方向へのフリック操作で消灯させているが、フリック操作の方向と照明器具の制御状態とは上記の関係に限定されるものではなく、使用者の操作感覚に合わせて適宜設定されればよい。例えば上下方向におけるフリック操作を検出する場合、上側へのフリック操作が検出されると照明器具を全点灯させ、下側へのフリック操作が検出されると照明器具を消灯させてもよい。
【００７６】
また、本実施形態では、複数（例えば２つ）の負荷コントローラ１が一方向に並んだ状態で枠部材（プレート部材３０及びプレート枠３１からなる）に取り付けられている。そして、操作部２０の配列方向と直交する方向において、操作者が操作部２０をフリックする操作を第２検出部（タッチセンサ１２及び信号処理部１１からなる）が検出している。
【００７７】
ところで、フリック操作の検出方向が操作部２０の配列方向と同じ場合、何れかの操作部２０のフリック操作を行った際に、隣接する別の操作部２０に指が当たって誤操作する可能性がある。一方、本実施形態では、フリック操作の検出方向が操作部２０の配列方向と直交するように複数の負荷コントローラ１が枠部材に取り付けられているので、上記のような誤操作が起こりにくくなる。
【００７８】
尚、本実施形態では１つの負荷コントローラ１に操作部２０が１つしか設けられていないが、１つの負荷コントローラ１に複数の操作部２０が設けられていてもよい。この場合でも、複数の操作部２０の配列方向と、第２検出部（タッチセンサ１２及び信号処理部１１からなる）が検出するフリック操作の方向とが互いに直交することが好ましい。これにより、何れかの操作部２０がフリック操作された場合に隣接する別の操作部２０に指が触れにくくなり、誤操作を低減することができる。
【００７９】
また、実施形態１，２で説明した負荷制御の形態は一例であり、上記の制御内容に限定されるものではなく、制御対象の機器や使用環境に合わせて適宜変更が可能である。
【００８０】
また、上記の各実施形態では、本発明を照明器具の動作状態を制御するコントローラに適用した実施形態について説明したが、照明器具以外の負荷（例えば換気扇などの設備機器）を制御するものでもよい。また、負荷にワイヤレス信号を送信して制御するリモートコントローラでもよい。
【符号の説明】
【００８１】
１  負荷コントローラ
１１  信号処理部（負荷制御部、第１検出部、第２検出部）
１２  タッチセンサ（第１検出部、第２検出部）
１３  出力回路
１００  ＬＥＤ照明器具（負荷）
【図１】
0005999309.tif 000002
【図２】
0005999309.tif 000003
【図３】
0005999309.tif 000004
【図４】
0005999309.tif 000005
【図５】
0005999309.tif 000006
【図６】
0005999309.tif 000007
【図７】
0005999309.tif 000008
【図８】
0005999309.tif 000009
【図９】
0005999309.tif 000010